(57)【要約】【課題】  従来にない新規は出玉のアピール方法により、遊技機からの１回の大当たりで払出される遊技媒体数が少ない場合であっても、出玉感を損なうことなく遊技者の不満感を払拭することができる遊技媒体収容箱を提供する。【解決手段】  玉箱１は、矩形容器状の第１収容部２の周囲を矩形枠状の第２収容部３が囲繞した形状をなしている。第１収容部２の収容可能な玉数は、パチンコ遊技機から１回の大当たりで払出される出玉数よりも若干少なく設定されている。これにより、パチンコ遊技機から１回の大当たりで払出される出玉を玉箱１に収容した場合は、第１収容部２から出玉が溢れるようになり、遊技者は、溢れるほど出玉があったと嬉しく思う。また、パチンコ遊技機から１回の大当たりで払出される出玉が通常よりも少ない場合であっても、第１収容部２の満杯状態で収容されるので、遊技者は、出玉が満杯状態となるほどあったと嬉しく思う。【選択図】  図１
2007075499.tif 000002
【特許請求の範囲】
【請求項１】
遊技機から払出される遊技媒体を収容可能な第１収容部及び第２収容部を備え、
前記第１収容部は、前記第２収容部よりも遊技機から払出される遊技媒体を受入れ易くするために前記第２収容部よりも開口部が広く構成され、
前記第２収容部は、前記第１収容部から溢れ出た遊技媒体を収容するように設けられていることを特徴とする遊技媒体収容箱。
【請求項２】
前記第２収容部は、前記第１収容部を囲繞するように設けられていることを特徴とする請求項１記載の遊技媒体収容箱。
【請求項３】
前記第２収容部に収容された遊技媒体の収容数を示す指標部を備えたことを特徴とする請求項１または２記載の遊技媒体収容箱。
【請求項４】
前記第１収容部が遊技媒体で満杯状態であることを前提とした場合の収容数と前記第２収容部に収容された遊技媒体の収容数との合計収容数を示す指標部を備えたことを特徴とする請求項１ないし３の何れかに記載の遊技媒体収容箱。
【発明の詳細な説明】
【技術分野】
【０００１】
本発明は、遊技機から払出された遊技媒体を収容する遊技媒体収容箱に関する。
【背景技術】
【０００２】
遊技店での出玉をアピールするために様々な提案がなされている。例えば、特許文献１のものでは、遊技媒体収容箱（玉箱）に最大収容玉数を示す指標部を設けると共に、玉箱に収容している玉数を概略的に示す指標部を視認可能に設けることが提案されている。このように構成することにより、どの程度の玉が玉箱に収容されているかを把握させ、出玉をアピールすることが可能となる。
【特許文献１】特開平１０−１６５６３７号公報
【発明の開示】
【発明が解決しようとする課題】
【０００３】
しかしながら、現在の遊技機は、確変の確率の継続率を高くするなどの理由により、大当たり１回の出玉が減少傾向にある。さらに、全体の出玉率の調整の手段として大当たり中の出玉を釘調整で行なう遊技店もあり、このような遊技店では、大当たり１回で玉箱を満たすことができず、遊技者の不満感を増大させてしまっている。
【０００４】
このような課題を解決する手段として、玉箱の収容数自体を少なくすることで少ない出玉であっても玉箱を満杯とすることにより出玉感をアピールすることも可能であるが、それでは、遊技店にある他の出玉が多い遊技機に対して、大当たりの最中に玉箱が必要となる場合が発生し、非常に煩わしくなってしまう。つまり、現在の遊技機は大当たり１回の出玉数が多い遊技機があると共に少ない遊技機もあるので、双方に対応するために、玉箱を別々に用意する必要があった。
【０００５】
本発明は上記事情に鑑みてなされたもので、その目的は、従来にない新規は出玉のアピール方法により、遊技機からの１回の大当たりで払出される遊技媒体数が少ない場合であっても、出玉感を損なうことなく遊技者の不満感を払拭することができる遊技媒体収容箱を提供することにある。
【課題を解決するための手段】
【０００６】
請求項１の発明によれば、遊技機で大当たりが発生したことに伴って払出された遊技媒体は遊技媒体収容箱の第１収容部に収容される。このとき、第１収容部は、遊技機から１回の大当たりで払出される数の遊技媒体を溢れ気味で収容可能に設定されているので、遊技機からの１回の大当たりで払出される出玉数が少ない場合であっても、遊技者は、遊技媒体が満杯状態まで払出されたことに満足を覚えるようになる。
【０００７】
また、遊技媒体が第１収容部から溢れた場合は、第２収容部に収容されるので、遊技者は、遊技媒体が溢れるほど出玉があると錯覚するようになり、出玉を効果的にアピールすることができる。この場合、第１収容部から遊技媒体が溢れるにしても、次の遊技媒体収容箱を直ちに用意する必要がないので、遊技者は、焦ることなく対応することができる。
【０００８】
請求項２の発明によれば、第２収容部に収容された遊技媒体を遊技媒体収容箱の周囲から確認することができ、それだけ出玉をアピールすることができる。
請求項３，４の発明によれば、遊技者が最も確認したい遊技媒体の満杯状態の収容数を数値として確認でき、他の遊技機との出玉比較が容易となる。
【発明を実施するための最良の形態】
【０００９】
以下、本発明をパチンコ遊技機の遊技媒体であるパチンコ玉を収容する玉箱に適用した一実施例について図面を参照して説明する。
図１は玉箱の斜視図、図２は玉箱の平面図、図３は玉箱の断面側面図である。これらの図１ないし図３において、玉箱（遊技媒体収容箱に相当）１は、透明或いは半透明の樹脂を成型して成り、矩形容器状の第１収容部２を矩形枠容器状の第２収容部３が囲繞した形状に形成されている。
【００１０】
具体的には、第１収容部２の底面部２ａの外周縁部から立上がる仕切部２ｂは、上方側が外方に傾斜したテーパ形状をなしている。また、第２収容部３の底面部３ａの内周縁部及び外周縁部から立上がる仕切部３ｂ，３ｂは、上方側が外方に傾斜したテーパ形状をなしており、その内面は上方となるにしたがって横幅が大きくなる断面Ｖ字形状をなしている。この第２収容部３の底面部３ａの横幅は、パチンコ玉の直径よりも若干大きな寸法に設定されている。これは、遊技者が第２収容部３に収容されたパチンコ玉を無理なく取り出すことができるようにしているからである。そして、第２収容部３の内方に位置する仕切部３ｂの上端は、第１収容部２の仕切部２ｂの上端部に連結している。
【００１１】
第１収容部２は、遊技店に設置されたパチンコ遊技機から１回の大当たりで払出される出玉数より若干少ない数（約１５００玉）の出玉を満杯状態で収容可能となっている。つまり、パチンコ遊技機から１回の大当たりで払出される出玉を第１収容部２に収容しようとすると、溢れ気味となるように設けられている。
【００１２】
尚、１５００玉という設定は、始動口への入賞に応じて大当たり抽選を行ない、その結果に基づいて図柄変動し、その結果として大当たり図柄を表示した場合に、大入賞口への入賞率を高める大当たり状態となる周知の構成を備えた、所謂「セブン機」と呼ばれるパチンコ遊技機の平均的な大当たり１回の出玉数（遊技者側から見れば獲得玉数、約１８００玉程度）を目安としているが、市場に出回るパチンコ遊技機のスペックなどの変化に伴い適宜変更してもよい。また、第２収容部３よりも開口部分が広いことから、第２収容部３よりもパチンコ遊技機から流し込まれるパチンコ玉を受入れ易い構成となっている。
【００１３】
第２収容部３は、第１収容部２から溢れたパチンコ玉を収容するようになっており、その最大収容数は約５００玉となっている。従って、第１収容部２と第２収容部３を合わせた玉箱１全体の収容可能玉数は約２０００玉に設定されている。尚、この２０００玉という設定は、大当たり１回で得られる出玉数が多いパチンコ遊技機の出玉数を目安とすればよく、必要に応じて適宜変更してもよい。
【００１４】
玉箱１の側面を示す図４において、第２収容部３の仕切部３ｂのうち外方となる仕切部３ｂの内面または外面には、玉箱１の全周にわたって第１〜第４指標部４ａ〜４ｄが垂直方向に順に形成されていると共に、それらの指標部４ａ〜４ｄに対応して所定の文字が視認可能に形成されている。つまり、第１指標部４ａに対応して「１００玉オーバー１６００玉」、第２指標部４ｂに対応して「２００玉オーバー１７００玉」、第３指標部４ｃに対応して「３００玉オーバー１８００玉」、第４指標部４ｄに対応して「４００玉オーバー１９００玉」と文字が形成されていると共に、第２収容部３の上端に対応して「５００玉オーバー２０００玉」という文字が形成されており、これらの各指標部４ａ〜４ｄの何れか或いは第２収容部３の上端までパチンコ玉が収容された場合の第２収容部３の収容玉数に加えて第１収容部２が満杯状態であることを前提とした場合の玉箱１全体の収容玉数を示すようになっている。
そして、玉箱１の両端部には取手５が一体に形成されている。
【００１５】
尚、第２収容部３の断面形状がＶ字形状をなしており、同一高さ寸法における収容可能な玉数が異なることから、第１〜第４指標部４ａ〜４ｄの間隔は徐々に小さくなるように設けられている。この場合、第１収容部２と第２収容部３は満杯時の高さが異なり、第２収容部３を満杯とするためには、第１収容部２にもパチンコ玉が収容されるので、玉箱１の上端と第４指標部４ｄとの間隔は他の間隔よりも一層狭く設定されている。
また、第１収容部２の仕切部２ｂ及び第２収容部３の仕切部３ｂがテーパ形状をなしていることから、玉箱１が使用されておらず積み重ねられた状態では、図５に示すように垂直方向に密着して積み重ねることが可能となっている。
【００１６】
次に上記構成の作用について説明する。
図示しないパチンコ遊技機で大当たりが発生してパチンコ玉が払出されると、パチンコ遊技機の受皿で出玉を収容できなくなることから、遊技者は、パチンコ遊技機から払出されたパチンコ玉を玉箱１の第１収容部２に流し込む。
【００１７】
さて、第１収容部２に満杯状態で収容可能な玉数は、パチンコ遊技機から１回の大当たりで払出される出玉数よりも若干少なく設定されているので、パチンコ遊技機から１回の大当たりで通常の出玉数が払出された場合は、第１収容部２に流し込まれたパチンコ玉が当該第１収容部２から溢れて第２収容部３に収容されるようになる。従って、遊技者は、第１収容部２から溢れ出るほど出玉があると思うようになるので、嬉しく思うようになる。このような心理状態は、日本酒の升を受け皿にしたコップに注いだ日本酒が溢れ出て升に溜まったことに嬉しさを覚えることと同様である。つまり、第１収容部２がコップ酒のコップに相当し、第２収容部３が升に相当するのであり、本発明は、このような心理を利用してなされたものである。
【００１８】
ここで、玉箱１には第２収容部３の収容数に第１収容部２の最大収容数を合わせた合計収容数を示す指標部４ａ〜４ｄが設けられているので、第２収容部３に収容されたパチンコ玉の上端位置に対応する指標部４ａ〜４ｄを確認することにより、玉箱１に収容されたパチンコ玉の合計収容数を容易に把握することができる。
【００１９】
このようにパチンコ遊技機からの１回の大当たりによる出玉数が通常の状態が継続した場合に、１回の大当たりで払出された出玉を収容した玉箱１を積み重ねたときは、図６に示すように第２収容部３にパチンコ玉が収容された状態で玉箱１が積み重ねられることになる。このように第２収容部３にパチンコ玉が収容された玉箱が積み重ねられた状態であっても、第２収容部３の指標部４ａ〜４ｄにより玉箱１の合計収容数を把握することができるので、全体の収容数を容易に把握することができる。
【００２０】
ところで、釘調整によっては、１回の大当たりで払出される出玉数が通常よりも少なくなることがある。また、パチンコ遊技機の機種によっては、１回の大当たりによる出玉数が他の機種に比較して少ない場合がある。このように１回の大当たりによる出玉数が少ない場合であっても、第１収容部２の収容可能玉数が元々通常の１回の大当たりによる出玉数よりも少なく設定されているので、パチンコ玉は第１収容部２に満杯状態で収容されることになる。従って、遊技者は、第１収容部２がパチンコ玉で満杯状態となることから、１回の大当たりで払出される出玉数が少ない場合であっても、出玉に満足を覚えるようになる。このような心理状態は、日本酒の升を受け皿にしたコップに注いだ日本酒が溢れ出なくても、コップが日本酒で満杯状態となれば満足することと同様である。
このように１回の大当たりによる出玉数が少ない状態が継続した場合に、１回の大当たりで払出された出玉を収容した玉箱１を積み重ねたときは、図７に示すような状態で玉箱１が積み重ねられることになる。
【００２１】
このような構成によれば、玉箱１を、第１収容部２及び当該第１収容部２を囲繞する第２収容部３から構成すると共に、第１収容部２のパチンコ玉の収容可能玉数をパチンコ遊技機の１回の大当たりで払出される玉数よりも僅かに少なく設定したので、第１収容部２にパチンコ玉を収容すると、第１収容部２がパチンコ玉で満杯状態となると共に、第１収容部２から溢れたパチンコ玉が第２収容部３に収容されるようになる。従って、パチンコ遊技機から１回の大当たりで払出される出玉数が少ない場合であっても、遊技者は、第１収容部２にパチンコ玉が満杯状態で収容されることから、十分な出玉を獲得したと思い満足するようになり、１回の大当たりで払出される玉数が少ない場合でも出玉感を損なわず、多い場合には、大当たりの最中に次の玉箱１を用意する必要もなくなるので、双方に対応するために、玉箱１を別々に用意する必要がなくなる。
【００２２】
本発明は、上記実施例に限定されることなく、次のように変形または拡張できる。
第２収容部３を第１収容部２の周囲の一部に隣接するように設けるようにしてもよい。このような構成の場合、第１収容部２から溢れたパチンコ玉が玉箱１の外に溢れてしまう虞があることから、玉箱１の側面高さよりも第１，第２収容部２，３の仕切り高さが低くなるように設ける必要がある。
実施例のように第１収容部２の周囲全てを第２収容部３が囲繞すれば、仕切りの高さを玉箱１の側面高さよりも高く構成してもよい。
本発明をスロットマシンの遊技媒体であるメダル収容箱に適用するようにしてもよい。
【図面の簡単な説明】
【００２３】
【図１】本発明の一実施例における玉箱の斜視図
【図２】玉箱の平面図
【図３】玉箱の縦断正面図
【図４】玉箱の正面図
【図５】積み重ねられた状態で示す玉箱の縦断正面図
【図６】パチンコ玉が第２収容部に溢れた収容状態で示す積み重ねられた玉箱の縦断正面図
【図７】パチンコ玉が第１収容部に満杯の収容状態で示す図６相当図
【符号の説明】
【００２４】
図面中、１は玉箱（遊技媒体収容箱）、２は第１収容部、３は第２収容部、４ａ〜４ｄは指標部、５は取手である。
【図１】
2007075499.tif 000003
【図２】
2007075499.tif 000004
【図３】
2007075499.tif 000005
【図４】
2007075499.tif 000006
【図５】
2007075499.tif 000007
【図６】
2007075499.tif 000008
【図７】
2007075499.tif 000009